(57)【特許請求の範囲】
【請求項１】
複数チャネルの信号光がそれぞれのタイムスロットに割り当てられ時間軸上にて多重された所定の波長の時分割多重信号を、複数チャネルの異なる波長の信号光が多重された波長分割多重信号に変換する光多重変換装置において、該装置は、
前記時分割多重信号のチャネル毎に対応して異なる複数の第２の波長のポンプ光をそれぞれ生成するポンプ光生成手段と、
該ポンプ光生成手段からの異なる波長のポンプ光を前記時分割多重信号のそれぞれのチャネルに対応して順次合波する第１の合波手段と、
該第１の合波手段からのポンプ光と前記時分割多重信号とをそれぞれのタイムスロット毎に順次合波して重畳する第２の合波手段と、
該第２の合波手段にて重畳された所定の波長の時分割多重信号とチャネル毎に異なる第２の波長のポンプ光とからそれぞれのチャネル毎に異なる複数の第３の波長の信号光をそれぞれのチャネルに対応して形成する波長変換手段であって、時分割多重信号の波長とポンプ光の波長との位相不整合を補正しつつ、それらの差周波成分を生成して第３の波長の信号光を形成する擬位相整合による波長変換手段と、
該波長変換手段の出力からそれぞれのポンプ光の波長の光を除去する第１のフィルタと、
該第１のフィルタの出力から所定の波長の時分割多重信号を除去してそれぞれのチャネル毎に異なる複数の第３の波長の波長分割多重信号を抽出する第２のフィルタとを含むことを特徴とする光多重変換装置。
【請求項２】
請求項１に記載の光多重変換装置において、前記波長変換手段は、二次光非線形媒質の基板に、所定の周期にてグレーティングが施されて、該グレーティングに直交する方向に光導波路が形成された擬位相整合素子であることを特徴とする光多重変換装置。
【請求項３】
請求項２に記載の光多重変換装置において、前記擬位相整合素子は、二次光非線形媒質の基板としてニオブ酸リチウムを含むことを特徴とする光多重変換装置。
【請求項４】
請求項２に記載の光多重変換装置において、前記擬似位相整合素子は、二次光非線形媒質の基板としてタンタル酸リチウムを含むことを特徴とする光多重変換装置。
【請求項５】
請求項２に記載の光多重変換装置において、前記擬似位相整合素子は、二次光非線形媒質の基板としてチタン酸燐酸カリウムを含むことを特徴とする光多重変換装置。
【請求項６】
請求項２に記載の光多重変換装置において、前記擬似位相整合素子は、二次光非線形媒質としてガリウム砒素系の半導体材料を含むことを特徴とする光多重変換装置。
【請求項７】
請求項２に記載の光多重変換装置において、前記擬似位相整合素子は、二次光非線形媒質としてインジウム燐系の半導体材料を含むことを特徴とする光多重変換装置。
【請求項８】
請求項１に記載の光多重変換装置において、前記第２のフィルタは、複数の異なる波長の光を分離抽出可能な複数の帯域通過特性を有する波長分割フィルタであることを特徴とする光多重変換装置。
【発明の詳細な説明】
【０００１】
【発明の属する技術分野】
本発明は、時分割多重信号光を波長分割多重信号光に変換する光多重変換装置に係り、たとえば、光交換システムあるいは光LAN などの光伝送系に用いて好適な光多重変換装置に関するものである。
【０００２】
【従来の技術】
近年、高速データ通信あるいは画像伝送などの高速、大容量のデータ通信の必要性から光通信技術の研究が活発に進められ、特に、複数の回線あるいはパスからの信号を効率よく束ねて伝送する種々の多重化方式の開発および実用化が図られている。
【０００３】
たとえば、公衆通信網の光交換システムでは、複数の加入者からの信号を時間軸上にて多重化して伝送する時分割多重(TDM) 方式が基本的に適用されており、これをさらに多重化率を上げる方式として、複数のチャネルの信号をそれぞれのチャネル毎に異なる波長の光信号にして多重化する波長分割多重(WDM) 方式などが研究され、その実用化が期待されている。
【０００４】
従来、このような時分割多重の光信号から波長分割多重の光信号に方式変換する装置として、たとえば、エレクトロニクス・レターズ(Electronics Letters),Vol.30,No.3,pp.255〜256,(1994)に記載された四波混合を利用した全光型の多重変換装置が提案されている。
【０００５】
この装置では、２つのチャネルの所定の波長λs(たとえば、1547.8nm）の光信号がビットレート700Mbit/s の時分割多重信号に形成されている場合に、それぞれのチャネルの信号光を三次光非線形効果を利用した四波混合による波長変換によって、波長λc1(1545.0nm)と波長λc2(1551.0nm)の350Mbit/s の波長分割多重信号に変換している。
【０００６】
具体的には、時分割多重信号を波長変換するために、あらかじめ、それぞれ1546.4nmの波長の第１のポンプ光と、1549.4nmの第２のポンプ光とをDFB(Distributed Feedback) 半導体レーザなどの光発振器にて発振させて、これらを時分割多重信号の２つチャネルの位相に対応させるために180 度づつ位相をずらして出力する。これらは、合波カップラなどにて合波されて、２つの波長の光を含む700Mbit/s のポンプ光として形成される。
【０００７】
これら２つの波長の光を含むポンプ光は、順次供給される所定の波長λs の時分割多重信号に合波カップラを介して合波される。これにより、それぞれ1547.8nmの波長の時分割多重信号における第１のチャネルの信号光に1546.4nmの第１のポンプ光が合波され、第２のチャネルの信号光に1549.4nmの波長の第２のポンプ光がそれぞれ合波される。
【０００８】
これら合波された時分割多重信号とポンプ光は、非線形性を有する半導体増幅器(SOA) に注入されて、その三次光非線形効果による四波混合によりそれぞれのチャネル毎に波長分割多重信号となる複数の波長の光が得られる。周知のように四波混合は、複数の波長の光が非線形媒質中を伝搬する際に、光の非線形相互作用によりポンプ光と被変換光の波長に近接した複数の波長の光を発生する。
【０００９】
たとえば、この場合、1546.4nmの第１のポンプ光と、1547.8nmの時分割多重信号光とから1545.0nmの波長の第１の変換光が得られ、同様に1549.4nmの第２のポンプ光と1547.8nmの時分割多重信号光とから1551.0nmの波長の第２の変換光が得られている。半導体増幅器にて四波混合された複数の波長の光は、帯域フィルタに入力されて、これにより、ポンプ光および時分割多重信号光が取り除かれて、1545.0nmと1551.0nmの波長分割された２つの波長の光のみを通過させる。
【００１０】
このように上記文献によれば、あらかじめ異なる波長のポンプ光を生成して、これらを時分割多重信号のそれぞれのチャネルに対応して合波して、これをさらに時分割多重信号と合波して、これらを三次の光非線形効果を用いた四波混合により合成することにより、複数のチャネルの時分割多重信号をそれぞれのチャネル毎に異なる波長の波長分割多重信号に変換するものであった。
【００１１】
【発明が解決しようとする課題】
しかしながら、上述した従来の技術では、半導体増幅器を用いた四波混合を利用しているため、四波混合による光とともに半導体増幅器から自然放出光(ASE) による雑音光が発生されるという問題があった。このため、自然放出光の雑音による影響を取り除くには、かなりよい特性の帯域通過フィルタが必要となる欠点があった。
【００１２】
また、四波混合を利用した場合に、ポンプ光の波長が変換光の波長にかなり接近しているために、半導体増幅器の出力からポンプ光を取り除くには、帯域通過フィルタとしてきわめて狭帯域のフィルタを用いなければならないという問題があった。さらに、四波混合の場合、三次の非線形効果を利用しているため他の混合成分も同時に発生するので、さらに変換光の取り出しが困難になるという問題があった。
【００１３】
またさらに、上記従来の技術では、変換光を取り出す場合に、帯域通過フィルタを利用しているため、変換した波長分割多重信号のそれぞれ一つのチャネルづつしか観測できないという問題があった。
【００１４】
本発明は上記課題を解決して、自然放出光などの雑音および他の近接した波長の光などの影響の少ない波長変換を行なうことができ、さらに変換した複数の波長分割多重信号の光を一度に観測可能な光多重変換装置を提供することを目的とする。
【００１５】
【課題を解決するための手段】
本発明による光多重変換装置は上記課題を解決するために、複数チャネルの信号光がそれぞれのタイムスロットに割り当てられ時間軸上にて多重された所定の波長の時分割多重信号を、複数チャネルの異なる波長の信号光が多重された波長分割多重信号に変換する光多重変換装置において、時分割多重信号のチャネル毎に対応して異なる複数の第２の波長のポンプ光をそれぞれ生成するポンプ光生成手段と、ポンプ光生成手段からの異なる波長のポンプ光を時分割多重信号のそれぞれのチャネルに対応して順次合波する第１の合波手段と、第１の合波手段からのポンプ光と時分割多重信号とをそれぞれのタイムスロット毎に順次合波して重畳する第２の合波手段と、第２の合波手段にて重畳された所定の波長の時分割多重信号とチャネル毎に異なる第２の波長のポンプ光とからそれぞれのチャネル毎に異なる複数の第３の波長の信号光をそれぞれのチャネルに対応して形成する波長変換手段であって、時分割多重信号の波長とポンプ光の波長との位相不整合を補正しつつ、それらの差周波成分を生成して第３の波長の信号光を形成する擬位相整合による波長変換手段と、波長変換手段の出力からそれぞれのポンプ光の波長の光を除去する第１のフィルタと、第１のフィルタの出力から所定の波長の時分割多重信号を除去してそれぞれのチャネル毎に異なる複数の第３の波長の波長分割多重信号を抽出する第２のフィルタとを含むことを特徴とする。
【００１６】
この場合、波長変換手段は、二次光非線形媒質の基板に、所定の周期にてグレーティングが施されて、該グレーティングに直交する方向に光導波路が形成された擬位相整合素子であると好適である。
【００１７】
また、この場合、擬位相整合素子は、二次非線形媒質の基板としてニオブ酸リチウムを含むと有利である。また、擬似位相整合素子は、二次光非線形媒質の基板としてタンタル酸リチウムを含むものでもよい。さらに、擬似位相整合素子は二次光非線形媒質の基板としてチタン酸燐酸カリウムを含むものであってもよい。また一方、擬似位相整合素子は、二次光非線形媒質としてガリウム砒素系の半導体材料を含むものでもよい。さらに擬似位相整合素子は、二次光非線形媒質としてインジウム燐系の半導体材料を含むものであってもよい。
【００１８】
他方、第２のフィルタは、複数の波長の光を分離抽出可能な複数の帯域通過特性を有する波長分割フィルタであると有利である。
【００１９】
【発明の実施の形態】
次に、本発明による光多重変換装置の一実施例を添付図面を参照して詳細に説明する。図１には、本発明による光多重変換装置の一実施例が示されている。本実施例による変換装置は、複数のチャネルの信号光が所定のビットレート、たとえば700Mbit/s にて入力する所定の波長λs 、たとえば1.5478μm の時分割多重信号光を異なる波長λc1, λc2・・・ の信号光が多重された波長分割多重信号に変換する際に、それぞれのチャネル毎に異なる複数の第２の波長λp1, λp2・・・ のポンプ光を形成しておき、これらを時分割多重信号のそれぞれのチャネルの信号光に重畳して、これらを波長変換して時分割多重信号を波長分割された第３の波長λc1, λc2・・・ の信号光にそれぞれ変換する全光型の多重変換装置である。
【００２０】
特に本実施例では、第３の波長λc1, λc2・・・ の波長分割信号を得る場合に、周期構造を有する２次光非線形素子にて形成された擬位相整合素子にて、その２次光非線形効果を利用して時分割多重信号の波長λs と第２の波長λp の差周波成分（1/λc=1/λs-1/λp)を生成して第３の波長λc の波長分割信号を得て、これらを順次分離して抽出する。なお、本実施例では、説明を容易にするため、２チャネルの時分割多重信号光を２チャンネルの波長分割多重信号に変換する場合を例に挙げて説明する。
【００２１】
具体的には、本実施例による光多重変換装置は、図１に示すように、ポンプ光生成部10と、合波部20と、波長変換部30と、波長分離部40とを含み、ポンプ光生成部10からの複数のポンプ光と、時分割多重信号とが合波部20にて合波されて、これらが波長変換部30にて波長変換され、さらに波長変換部30の出力から波長分離部40にて他の波と分離した波長分割多重信号がそれぞれのチャネル毎に抽出されるものである。
【００２２】
各部の詳細を説明すると、ポンプ光生成部10は、時分割多重信号の複数のチャネルの信号光を波長変換するための複数の異なる波長λp1, λp2・・・ のポンプ光をそれぞれ時分割多重信号のタイムスロットのタイミングに応じて生成するパルス源であり、本実施例の場合、２つのチャネルの時分割多重信号に応動して２つの波長λp1, λp2のポンプ光を交互に出力するポンプ光発生部である。このポンプ光生成部10は、駆動源110 と、遅延素子120 と、第１の発振器130 と、第２の発振器140 とを含む。
【００２３】
駆動源110 は、第１の発振器130 および第２の発振器140 を駆動する駆動信号を発生する駆動信号発生部であり、ビットレート700Mbit/s の時分割多重信号に対して、ビットレート350Mbit/s のオン／オフ信号を発生する。駆動信号は、遅延素子120 を介して第１の発振器130 に、および直接的に第２の発振器140 に供給される。本実施例の遅延素子120 は、駆動源110 からの駆動信号を１ビットレート遅延させる遅延線または遅延メモリである。
【００２４】
第１の発振器130 は、遅延素子120 を介して受けた駆動源110 からの駆動信号に応じて、所定の波長λp1、たとえば、本実施例の場合、0.7732μm の第１のポンプ光をビットレート350Mbit/s にて発生する光パルス発振器であり、たとえば分布帰還型の半導体レーザ(DFB-LD)などが有効に適用されている。
【００２５】
同様に、第２の発振器140 は、駆動源110 からの駆動信号に応じて第２の波長λp2、たとえば、0.7747μm の第２のポンプ光をビットレート350Mbit/s にて発生する光パルス発振器であり、第１の発振器130 と同様に分布帰還型の半導体レーザが適用されている。これら第１の発振器130 からのポンプ光と第２の発振器140 からのポンプ光とは、第１の発振器130 が１ビットレート遅れて発振するため、両ポンプ光は位相が180 度ずれた状態にて合波部20に順次出力される。
【００２６】
合波部20は、ポンプ光生成部10からの２つの波長のそれぞれ350Mbit/s の光を合波して700Mbit/s のポンプ光を形成し、合波したポンプ光を順次供給されるビットレート700Mbit/s の時分割多重信号に重畳する信号合成回路であり、本実施例では、第１の合波カップラ210 と、第２の合波カップラ220 と、時分割多重信号入力部230 とを含む。
【００２７】
第１の合波カップラ210 は、ポンプ光生成部10の第１の発振器130 および第２の発振器140 からの２つの波長のポンプ光を合波する光カップラであり、たとえば、第１の発振器130 からのポンプ光を図示の左方から右方に透過して、第２の発振器140 からのポンプ光を図示の下方から右方に反射させる半透過鏡などが適用されている。
【００２８】
第２の合波カップラ220 は、第１の合波カップラ210 にて合波されたポンプ光を時分割多重信号入力部230 からの時分割多重信号に合波して、これらを重畳する光カップラであり、第１の合波カップラ210 と同様に半透過鏡などが適用されている。
【００２９】
時分割多重信号入力部230 は、所定の波長λs 、たとえば、1.5478μm の波長にて２つのチャネルの光信号がタイムスロットに交互に時分割多重された700Mbit/s の時分割多重信号を入力する入力部である。なお、本実施例では、時分割多重信号の波長変換効率を観測するため、1.5478μm の単一波長で700MHzのパルス光を発振するレーザ発振器などが接続されている。この時分割多重信号にポンプ光が重畳されたそれぞれのスロットの光は、順次波長変換部30に供給される。
【００３０】
波長変換部30は、合波部20からのそれぞれのチャネルの時分割多重信号にポンプ光が重ねられたそれぞれ２つの波長λs およびλp1またはλp2の光からそれぞれのチャネル毎に異なる複数の第３の波長λc1, λc2の変換光を形成して、これを波長分割多重信号として出力する変換部であり、特に、本実施例では二次光非線形効果を有する擬位相整合素子が適用されている。
【００３１】
本実施例による擬位相整合素子は、それぞれのチャネル毎に異なる波長λS およびλP の光の伝般定数による位相不整合を補正しつつ、それらの波長λs,λp の差周波成分 (1/λs-1/λp = 1/λc)を形成して出力する差周波成分生成素子である。この擬位相整合素子は、図２に示すように、ニオブ酸リチウム (LiNbO3)の基板300 の表面付近に、所定の周期Λにてチタン(Ti)の熱拡散によりドメイン反転グレーティング310 が形成され、これと直交する方向にプロトン交換法による光導波路320 が形成された周期構造を有する２次光非線形素子である。
【００３２】
この２次光非線形素子は、光導波路320 に入力した波長λs,λp の光が光導波路320 を進行する際に、２次非線形光学効果を受けて、その差周波成分λc の光を生成して、その成分が最大となるようにグレーティングの周期Λが形成されている。本実施例では、擬位相整合素子として、ニオブ酸リチウムの基板を適用したが、同様な効果を得る非線形材料として、たとえば、タンタル酸リチウム (LiTaO3)またはチタン酸燐酸カリウム(KTP) などの無機材料、あるいは、ガリウム砒素(GaAs)またはインジウム燐(InP) などの半導体材料を適用してもよい。擬位相整合素子からの波長λs,λc,λp の光は、順次波長分離部40に供給される。
【００３３】
波長分離部40は、波長変換部30の出力から波長λp1, λp2のポンプ光および波長λs の時分割多重信号を取り除き、波長変換された波長λc1, λc2の波長分割多重信号を抽出する信号抽出部であり、本実施例では縦列接続されたIRフィルタ410 と、WDM フィルタ420 とが有効に適用されている。IRフィルタ410 は、擬位相整合素子から出力される複数の波長の光のうち、短波長λp1, λp2のポンプ光をそれぞれ遮断して、変換光λc1, λc2および時分割多重光λs を通過させる低域通過フィルタであり、本実施例では高域遮断波長がたとえば1.5 〜0.8 μm 程度のものでよい。
【００３４】
WDM フィルタ420 は、IRフィルタ410 を通過した光のうち、波長λs の時分割多重信号を取り除き、第３の波長λc1, λc2の変換光を通過させる複数の波長の通過帯域領域を有する波長分割フィルタである。本実施例による波長分割フィルタ420 は、たとえば、ニオブ酸リチウムの基板に圧電材料をトランスジューサとして張り付けた音響（acousto-optic)スイッチなどが有効に適用される。たとえば、本実施例の場合、時分割多重信号の所定の波長λs に同調して、トランスジューサを所定の波長の超音波にて振動させることにより、1.5478μm の時分割多重信号のみを他方に反射させ、1.545 μm の第１の変換光および1.551 μm の第２の変換光を通過させる波長分割した複数の通過領域を有するWDM フィルタを形成する。
【００３５】
以上のような構成において、本実施例による光多重変換装置の動作を説明すると、まず、ポンプ光生成部10の駆動源110 をオンとすると、この駆動源110 からの350Mbit/s の駆動信号が第２の発振器140 に供給され、また、遅延素子120 を介して第１の発振器130 に１ビットレート遅れて供給される。これにより、第２の発振器140 から0.7747μm の波長の第２のポンプ光が発振され、続いて180 度の位相差にて第１の発振器140 から0.7732μm の波長の第１のポンプ光が発振され、それぞれ350Mbit/s のビットレートにて出力される。
【００３６】
次に、第１および第２の発振器130,140 から出力されたポンプ光は、第１の合波カップラ210 にて１本のファイバ線に合波されて、２つの異なる波長を有する700Mbit/s のポンプ光が形成されて、第２の合波カップラ220 に供給される。この際に、時分割多重信号入力部230 から所定の波長λs(1.5547μm)の時分割多重信号が700Mbit/s にて入力され、第２の合波カップラ220 に順次供給される。これにより、第２の合波カップラ220 にて、時分割多重信号のそれぞれのチャネルにポンプ光が合波されて、所定の波長λs の時分割多重信号の第１のチャネルに波長λp1の第１のポンプ光が重畳され、第２のチャネルに波長λp2の第２のポンプ光が重畳される。
【００３７】
次に、重畳されたそれぞれのチャネルの光は、波長変換部30の擬位相整合素子に供給されて、それぞれのチャネル毎に異なる第３の波長λc1, λc2の波長分割多重信号に形成される。たとえば、擬位相整合素子に供給された所定の波長λs の時分割多重信号と、波長λp1の第１のポンプ光は、その光導波路320 に沿って順次伝搬する際に、ニオブ酸リチウムの基板300 の二次の光非線形効果によってそれらの差周波成分 (1/λs-1/λp1=1/ λc1) の波長が生成される。この場合、第３の波長λc1は、1.545 μm の波長となる。しかも、生成された第３の波長λc1の光は、グレーティング310 の周期Λによって、順次位相整合されて、第１の波長λs および第２の波長λp1とともに有効な値となって出力される。
【００３８】
同様に、時分割多重信号の第２のチャネルの光と、第２のポンプ光とが擬位相整合素子に入力すると、その出力では、波長λs と波長λp1との差周波成分 (1/λs-1/λp2= 1/λc2) の波長が生成されて、３つの波長λs,λp2, λc2の光が順次出力される。本実施例の場合、第３の波長λc2の変換光は、1.551 μm の波長となる。これらは、第１のチャネルおよび第２のチャネルにて交互に繰り返されて、それぞれ350Mbit/s のビットレートにて波長分離部40に供給される。
【００３９】
次に、波長分離部40では、そのIRフィルタ410 にて擬位相整合素子からのそれぞれの波長の光のうち、0.7 μm 帯の短波長のポンプ光、つまり、0.7732μm および0.7747μm のポンプ光を遮断して、1.5 μm 帯の時分割多重信号および２つの波長の変換光を通過させる。次に、WDM フィルタ420 にて、IRフィルタ410 を通過した光のうち、1.5478μm の波長λs の時分割多重信号を分離して、1.545 μm の第１の波長分割信号と、1.551 μm の第２の波長分割信号とをその出力に抽出する。この結果、700Mbit/s の伝送速度の２チャネルの時分割多重信号が２つの異なる波長を含む350bit/sの波長分割多重信号に変換されて出力される。
【００４０】
以上のように本実施例による光多重変換装置によれば、所定の波長λs の時分割多重信号と２つの異なる第２の波長λp1, λp2のポンプ光とから複数の第３の波長λc1, λc2の波長分割多重信号を形成する際に、その波長変換部10が波長λs と波長λp1, λp2の差周波成分を生成して波長λc1, λc2の波長分割多重信号を形成するので、波長λp1, λp2のポンプ光と波長λc1, λc2の変換光との波長間隔を広くとることができる。つまり、本実施例では、ニオブ酸リチウムの基板300 に周期構造を形成した２次非線形素子にて、その２次非線形効果を利用して波長分割多重信号を形成することができるので、原理的に1/λc=1/λs-1/λp の関係さえ満足すればよい。これにより、上記実施例のように、ポンプ光の波長λp1, λp2を0.7732μm および0.7747μm という他の波長λs および波長λc1, λc2に比べてその半分程度の波長にすることができる。この結果、波長分離部40でのポンプ光の分離を簡単に実行することができる。たとえば、IRフィルタ410 などの遮断特性を緩やかなものにすることができる。
【００４１】
また、擬位相整合素子では半導体増幅器と異なり、自然放出光の発生がなく、さらに周期構造により、それぞれの所望の波長の光の位相整合が図られている。さらに、他の周波成分の発生もない、さらにフィルタの特性は緩やかなものでよい。さらに、本実施例では波長分離部40にて、複数の帯域通過領域を有するWDM フィルタ420 を用いたので、生成された複数の波長の波長分割多重信号を同時に観測することができた。また、本実施例で得られた波長分割多重信号には、上記のように他の波長成分がほとんど含まれず、その結果、信号のS/N 比の向上が図られた。
【００４２】
なお、上記実施例では２つのチャネルの波長分割多重信号を得る場合を例に挙げて説明したが、本発明では３つ以上のｎ個のポンプ光を生成して、それぞれのポンプ光の位相差を 2π/nとすることにより、３つ以上のチャネルを有する時分割多重信号から３つ以上の異なるｎ個の波長を有する波長分割多重信号を生成する場合にも十分に適用することができる。
【００４３】
【発明の効果】
以上のように本発明における光多重変換装置によれば、複数のチャネルの所定波長の時分割多重信号から複数の異なる波長の波長分割多重信号を得る際に、複数の異なる第２の波長のポンプ光を生成して、これらを時分割多重信号のそれぞれのチャネルに重畳して、それらの異なる波長の光の伝搬定数の差による位相不整合を補正しつつ、それらの差周波成分を第３の波長の波長分割多重信号として生成する擬位相整合による差周波成分生成手段を用いたので、自然放出光などの他の周波成分の光が発生することなく、波長分割多重信号を簡単に分離して抽出することができる。これにより、第１のフィルタおよび第２のフィルタの特性を比較的緩やかなものとすることができる効果を有する。
【００４４】
しかも、二次光非線形効果による差周波成分を利用しているので、ポンプ光の波長と変換光の波長との波長間隔を広く設定することができ、ポンプ光を容易に取り除くことができる。これにより、第１のフィルタに対する条件がさらに緩やかなものとすることができる。
【００４５】
結果、本装置では、その出力から得られる波長分割多重信号を雑音のない正確な信号光とすることができるという優れた効果を奏する。
【図面の簡単な説明】
【図１】本発明の一実施例による光多重変換装置を示すブロック図である。
【図２】図１の実施例に適用される擬位相整合素子の例を示す斜視図である。
【符号の説明】
30  波長変換部（擬位相整合素子）
110 駆動源
120 遅延素子
130 第１の発振器
140 第２の発振器
210 第１の合波カップラ
220 第２の合波カップラ
230 時分割多重信号入力部
410 IRフィルタ
420 WDM フィルタ
【図１】
0004071302.tif 000002
【図２】
0004071302.tif 000003